(57)【要約】【課題】コーナーポストを作業性良く簡単に固定することができるコーナーポスト固定部材及びこれを用いたコーナーポスト固定構造を提供すること。【解決手段】嵌合柱部３を水平なベース部２に垂直に立設して構成されるコーナーポスト固定部材１を防水パネル（フロア部材）４０のコーナー部に取り付け、該コーナーポスト固定部材１の前記嵌合柱部３の外周面にコーナーポスト３０の下端部内周面を嵌合させて該コーナーポスト３０を略垂直に起立した状態で固定する。【選択図】図５
2006016835.tif 000002
【特許請求の範囲】
【請求項１】
パイプ状のコーナーポストを略垂直に起立した状態で固定するための部材であって、
前記コーナーポストの下端部内周面に嵌合する嵌合柱部を水平なベース部に垂直に立設して構成されることを特徴とするコーナーポスト固定部材。
【請求項２】
樹脂にて一体成形して成ることを特徴とするコーナーポスト固定部材。
【請求項３】
前記ベース部に少なくとも１つのビス孔を形成したことを特徴とする請求項１又は２記載のコーナーポスト固定部材。
【請求項４】
前記嵌合柱部の外周面を上方に向かって内側に傾斜するテーパ面で構成したことを特徴とする請求項１〜３の何れかに記載のコーナーポスト固定部材。
【請求項５】
嵌合柱部を水平なベース部に垂直に立設して構成されるコーナーポスト固定部材をフロア部材のコーナー部に取り付け、該コーナーポスト固定部材の前記嵌合柱部の外周面にコーナーポストの下端部内周面を嵌合させて該コーナーポストを略垂直に起立した状態で固定して成ることを特徴とするコーナーポスト固定構造。
【請求項６】
前記コーナーポスト固定部材のベース部に形成された少なくとも１つのビス孔に挿通するビスを前記フロア部材にねじ込むことによって、該コーナーポスト固定部材を前記フロア部材のコーナー部に固定することを特徴とする請求項５記載のコーナーポスト固定構造。
【請求項７】
前記コーナーポストの下端部内周面を前記コーナーポスト固定部材の嵌合柱部の外周面に嵌合した後、該コーナーポストの少なくとも１箇所をビスにてコーナーポスト固定部材に固定することを特徴とする請求項５又は６記載のコーナーポスト固定構造。
【発明の詳細な説明】
【技術分野】
【０００１】
本発明は、ユニットバスの壁面等の構築に際してフロア部材のコーナー部にコーナーポストを略垂直状態で固定するためのコーナーポスト固定部材とこれを用いたコーナーポスト固定構造に関するものである。
【背景技術】
【０００２】
例えば、システムバスルームの壁面を構築する形態として、図１２に示すように、横長の複数の壁パネル２０を上下方向に積み重ねて接合する方式を採用する場合、防水パネル４０の四隅に垂直に立設された不図示のコーナーポストに各壁パネル２０の側端縁を結合する必要があるが、壁パネル２０を組み付ける前工程として、コーナーポストを防水パネル４０の四隅に略垂直状態で固定する作業が必要になる。尚、横長の壁パネルを上下に積み重ねて接合する構造については特許文献１に、壁パネルを互いに結合する結合具については特許文献２，３にそれぞれ開示されている。
【０００３】
ここで、コーナーポストの固定構造の従来例を図１３〜図１５にそれぞれ示す。
【０００４】
即ち、図１３〜図１５はコーナーポストの固定構造の従来例を示す部分斜視図であり、図１３に示す例では、フロア部材の周縁に立設されたフランジ状の周壁部材１０１にコーナーポスト１３０の下端部を２本のビス１０２によって内側（図１３の奥側）から前記周壁部材１０１に取り付ける構造が採用され、図１４に示す例では、コーナーポスト２３０の外形形状に沿って屈曲成形された金属製の固定部材２０３を周壁部材２０１に溶着し、この固定部材２０３にコーナーポスト２３０の下端部を２本のビス２０２によって内側（図１４の奥側）から取り付ける構造が採用されている。
【０００５】
又、図１５に示す例では、コーナーポスト３３０の外形形状に沿ってプレス成形された金属製の固定部材３０３を２本のビス３０２によってフロア部材３４０に固定し、この固定部材３０３にコーナーポスト３３０の下端外周部を嵌合することによってコーナーポスト３３０を略垂直状態で固定する構造が採用されている。
【０００６】
【特許文献１】特許第３３０７６１４号公報
【特許文献２】特許第２６２７３９４号公報
【特許文献３】特開２００３−１７１９９１号公報
【発明の開示】
【発明が解決しようとする課題】
【０００７】
ところが、図１３及び図１４に示す固定構造では、コーナーポスト１３０，２３０を略垂直に立てた状態でその下端部をビス１０２，２０２によって固定する必要があるため、作業性が悪いという問題があった。
【０００８】
又、図１５に示す固定構造では、コーナーポスト３３０の下端部が固定部材３０３に外嵌されるため、固定部材３０３がコーナーポスト３３０の外部に露出し、コーナーポスト３３０がその内側に位置するために壁パネル３２０とフロア部材３４０の周縁との間に大きな隙間が不可避的に生じ、壁パネル３２０をフロア部材３４０の周縁に沿って隙間なく配置することができないという問題があった。
【０００９】
本発明は上記問題に鑑みてなされたもので、その目的とする処は、コーナーポストを作業性良く簡単に固定することができるとともに、固定後のコーナーポストに結合される壁パネルをフロア部材の周縁に沿って隙間なく配置することができるコーナーポスト固定部材及びこれを用いたコーナーポスト固定構造を提供することにある。
【課題を解決するための手段】
【００１０】
上記目的を達成するため、請求項１記載の発明は、パイプ状のコーナーポストを略垂直に起立した状態で固定するためのコーナーポスト固定部材を、前記コーナーポストの下端部内周面に嵌合する嵌合柱部を水平なベース部に垂直に立設して構成したことを特徴とする。
【００１１】
請求項２記載の発明は、請求項１記載のコーナーポスト固定部材を樹脂にて一体成形したことを特徴とする。
【００１２】
請求項３記載の発明は、請求項１又は２記載の発明において、前記ベース部に少なくとも１つのビス孔を形成したことを特徴とする。
【００１３】
請求項４記載の発明は、請求項１〜３の何れかに記載の発明において、前記嵌合柱部の外周面を上方に向かって内側に傾斜するテーパ面で構成したことを特徴とする。
【００１４】
請求項５記載の発明は、嵌合柱部を水平なベース部に垂直に立設して構成されるコーナーポスト固定部材をフロア部材のコーナー部に取り付け、該コーナーポスト固定部材の前記嵌合柱部の外周面にコーナーポストの下端部内周面を嵌合させて該コーナーポストを略垂直に起立した状態で固定することによってコーナーポスト固定構造を構成したことを特徴とする。
【００１５】
請求項６記載の発明は、請求項５記載の発明において、前記コーナーポスト固定部材のベース部に形成された少なくとも１つのビス孔に挿通するビスを前記フロア部材にねじ込むことによって、該コーナーポスト固定部材を前記フロア部材のコーナー部に固定することを特徴とする。
【００１６】
請求項７記載の発明は、請求項５又は６記載の発明において、前記コーナーポストの下端部内周面を前記コーナーポスト固定部材の嵌合柱部の外周面に嵌合した後、該コーナーポストの少なくとも１箇所をビスにてコーナーポスト固定部材に固定することを特徴とする。
【発明の効果】
【００１７】
請求項１及び５記載の発明によれば、コーナーポストの下端部をコーナーポスト固定部材の嵌合柱部に嵌合させるだけで、該コーナーポストを作業性良く簡単に略垂直状態で固定することができる。そして、コーナーポスト固定部材は、その嵌合柱部がコーナーポストの下端部内周面に嵌合するため、これがコーナーポストの外部に露出することがなく、固定後のコーナーポストに結合される壁パネルをフロア部材の周縁に沿って隙間なく配置することができる。
【００１８】
請求項２記載の発明によれば、コーナーポストの下端部内周面に嵌合する嵌合柱部を含むコーナーポスト固定部材を樹脂によって所定の形状・寸法に容易に成形することができる。
【００１９】
請求項３及び６記載の発明によれば、コーナーポスト固定部材のベース部に形成されたビス孔に挿通されるビスによって、コーナーポスト固定部材をフロア部材のコーナー部に簡単に固定することができる。
【００２０】
請求項４記載の発明によれば、コーナーポスト固定部材の嵌合柱部の外周面を上方に向かって内側に傾斜するテーパ面で構成したため、該嵌合柱部に先端部が先細となり、この先細の先端からコーナーポストの下端部をスムーズに差し込んでこれを嵌合柱部に容易に嵌合させることができる。
【００２１】
請求項７記載の発明によれば、コーナーポスト固定部材に差し込まれて固定されたコーナーポストの少なくとも１箇所をビスにてコーナーポスト固定部材に固定することによって、該コーナーポストを一層確実に固定することができる。
【発明を実施するための最良の形態】
【００２２】
以下に本発明の実施の形態を添付図面に基づいて説明する。
【００２３】
先ず、本発明に係るコーナーポスト固定部材とコーナーポストの構成を図１及び図２に基づいて説明する。尚、図１はコーナーポスト固定部材とコーナーポストの斜視図、図２（ａ）はコーナーポスト固定部材の平面図、同図（ｂ）は同コーナーポスト固定部材の側面図（（ａ）の矢視Ａ方向の図）である。
【００２４】
図１に示すように、コーナーポスト３０は角パイプ状のアルミニウムの押し出し型材で構成されており、その１つのコーナー部（図１２に示すユニットバスルームにおいては室内側に面する部分）には、内側に向かって突出する凸部３１が全長に亘って一体に形成されている。そして、この凸部３１には差し込み溝（目地材受溝）溝３２が全長に亘って形成されており、この差し込み溝３２は室内に向かって開口している。又、コーナーポスト３０の前記凸部３１に対向する２つの内面３０Ｃ，３０Ｄには断面矩形状の嵌合凸部３３，３４がそれぞれ形成されている。
【００２５】
而して、コーナーポスト３０の前記差し込み溝３２を挟んで直角を成す２つの外側面３０ａ，３０ｂには、後述の壁パネル２０（図８参照）の側端縁が当接し、他の２つの外側面（室外に臨む側の面）３０ｃ，３０ｄには、後述のように結合部材２１Ａが取り付けられる（図７参照）。
【００２６】
他方、コーナーポスト固定部材１は、樹脂の一体成形品であり、薄い水平な矩形プレート状のベース２の上に、上面が開口する筒状の嵌合柱部３を垂直に立設して構成されている。
【００２７】
ここで、嵌合柱部３の直角を成す２つの外側面３ｃ，３ｄは、前記コーナーポスト３０の２つの内面３０Ｃ，３０Ｄが嵌合する面であり、これらにはコーナーポスト３０の内面３０Ｃ，３０Ｄに形成された嵌合凸部３３，３４が嵌合するための嵌合凹部４，５が上下方向に形成されている。又、嵌合柱部３の直角を成す他の２つの外側面３ａ，３ｂは幅狭に形成されており、これらにはコーナーポスト３０の内面３０Ａ，３０Ｂが嵌合する。そして、両外側面３ａ，３ｂの間には、コーナーポスト３０の前記凸部３１との干渉を避けるための円弧曲面３ｅが形成されている。
【００２８】
而して、図２（ｂ）に示すように、嵌合柱部３の外側面３ａ〜３ｄは上方に向かって内側に角度θ（本実施の形態では、０．５°）だけ傾斜したテーパ面で構成されており（図２（ｂ）には外側面３ｄは不図示）、嵌合柱部３の先端部は先細状を成している。
【００２９】
又、コーナーポスト固定部材１においては、図２に示すように、ベース部２の嵌合柱部３の内部に臨む部分には、円孔状のビス孔６が形成されている。
【００３０】
次に、以上のように構成されたコーナーポスト固定部材１を用いたコーナーポスト３０の固定要領を図３〜図６に基づいて説明する。尚、図３〜図６はコーナーポスト固定部材を用いたコーナーポストの固定要領をその工程順に示す部分斜視図である。
【００３１】
前記コーナーポスト３０を例えば図１２に示したユニットバスルームの防水パネル４０の四隅に垂直状態で固定するに際しては、先ず、図３に示すように、防水パネル４０のコーナー部に穿設された下穴４１にコーキングを施した後、コーナーポスト固定部材１を、そのベース部２に形成された前記ビス孔６（図２参照）に上方から挿通する１本のビス７を防水パネル４０側の前記下穴４１にねじ込むことによって、図４に示すように、防水パネル４０のコーナー部に固定する。
【００３２】
上述のようにコーナーポスト固定部材１が防水パネル４０のコーナー部に固定されると、図５に示すように、コーナーポスト３０を垂直に立てた状態で、その下端部をコーナーポスト固定部材１に差し込んで、その内面３０Ａ〜３０Ｄをコーナーポスト固定部材１の嵌合柱部３の外側面３ａ〜３ｄにそれぞれ嵌合させる。この嵌合によって、コーナーポスト３０は、コーナーポスト固定部材１によって略垂直状態に固定されるが、コーナーポスト３０の内面３０Ｃ，３０Ｄに形成された嵌合凸部３３，３４がコーナーポスト固定部材１の嵌合柱部３の外側面３ｃ，３ｄに形成された嵌合凹部４，５にそれぞれ嵌合することによって、該コーナーポスト３０がガタ無くコーナーポスト固定部材１によって嵌合保持されて垂直状態に固定される。尚、前述のようにコーナーポスト固定部材１の嵌合柱部３の外周面３ａ〜３ｄを上方に向かって内側に傾斜するテーパ面で構成したため、該嵌合柱部３に先端部が先細となり、この先細の先端からコーナーポスト３０の下端部をスムーズに差し込んでこれを嵌合柱部３に容易に嵌合させることができる。
【００３３】
そして、図５に示すように、コーナーポスト３０の下端側部に穿設された下穴３５にビス８を通し、このビス８をコーナーポスト固定部材１にねじ込むことによって、コーナーポスト３０を一層確実に固定することができる。
【００３４】
以上の作業を他のコーナー部についても同様に行うことによって、図１２に示すユニットバスルームの防水パネル４０の四隅にコーナーポスト３０を略垂直状態で固定することができる。
【００３５】
而して、本発明に係るコーナーポスト固定部材１を用いたコーナーポスト３０の固定構造によれば、コーナーポスト３０の下端部をコーナーポスト固定部材１の嵌合柱部３に嵌合させるだけで、該コーナーポスト３０を作業性良く簡単に略垂直状態で固定することができる。そして、コーナーポスト固定部材１は、その嵌合柱部３の外側面３ａ〜３ｄがコーナーポスト３０の下端部内周面３０Ａ〜３０Ｄに嵌合するため、これがコーナーポスト３０の外部に露出することがなく、固定後のコーナーポスト３０に結合される壁パネル２０（図８参照）を防水パネル４０の周縁に沿って隙間なく配置することができる。
【００３６】
又、コーナーポスト３０の下端部内面３０Ａ〜３０Ｄに嵌合する嵌合柱部３を含むコーナーポスト固定部材１を樹脂によって所定の形状・寸法に容易に成形することができる。
【００３７】
次に、各コーナーポストへの壁パネルの結合方法を図７〜図１１に基づいて説明する。尚、図７〜図１１は壁パネルの結合要領をその工程順に示す部分斜視図である。
【００３８】
壁パネル２０のコーナーポスト３０への結合に際しては、図７に示すように、コーナーポスト３０に取り付けられた結合部材２１Ａの頭部２４を連結部材１１の一方の係合孔１２の挿通孔部１２ａに通した後、連結部材１１のスリット孔部１２ｂに結合部材２１Ａの係合部を係合させ、連結部材１１をスリット孔部１２ｂに形成された不図示の突起が結合部材２１Ａの係合部の上端面に当接するまで押し下げて該連結部材１１を図８に示すように結合部材２１Ａに仮止めする。
【００３９】
上述のように連結部材１１がコーナーポスト３０側の結合部材２１Ａに仮止めされると、その状態を維持したまま、壁パネル２０を図８に示すように略垂直に起立させ、図９に示すように、該壁パネル２０に取り付けられた結合部材２１Ｂの頭部２４を連結部材１１の他方の係合孔１３の挿通孔部１３ａに通す。尚、このとき、連結部材１１に形成された２つの係合孔１２，１３の挿通孔部１２ａ，１３ａのうち、一方の係合孔１３の挿通孔部１３ａの上下方向長さを他方の係合孔１２の挿通孔部１２ａの長さよりも長く設定したため、壁パネル２０を略垂直に起こしてこれに取り付けられた結合部材２１Ｂを連結部材１１の係合孔１３の挿通孔部１３ａにそのまま通すことができる。
【００４０】
而して、上述のように壁パネル２０に取り付けられた結合部材２１Ｂの頭部２４を連結部材１１の他方の係合孔１３の挿通孔部１３ａに通した状態で、連結部材１１を多少押し下げて係合孔１３のスリット孔部１３ｂに結合部材２１Ａの係合部を係合させる。すると、図９に示すように、壁パネル２０は連結部材１１によってコーナーポスト３０に仮止めされる。
【００４１】
その後、図１０に示すように、連結部材１１の上端面に薄い当て木５１を添え、上から例えばプスチックハンマー５０で連結部材１１の上端面を叩き込めば、該連結部材１１は、これに形成された係合孔１２，１３のスリット孔部１２ｂ，１３ｂに係合する結合部材２１Ａ，２１Ｂの係合部に沿って下方へと押し込まれ、両スリット孔部１２ｂ，１３ｂの上端面が結合部材２１Ａ，２１Ｂの係合部の上端面に当接した時点で両結合部材２１Ａ，２１Ｂが連結部材１１によって係止されるため、図１１に示すように、結合部材２１Ａ，２１Ｂと連結部材１１から成る結合具によって壁パネル２０の側端縁の上部がコーナーポスト３０に結合される。
【００４２】
以上の作業を各パネル２０に対して繰り返すことによって、上下方向に積み重ねて接合される壁パネル２０の両側端縁がコーナーポスト３０に順次結合され、図１２に示すようなユニットバスルームの側壁が構築される。
【産業上の利用可能性】
【００４３】
本発明は、ユニットバスルームの壁面の他、洗面室等、他の任意の部屋の壁面の構築におけるコーナーポストの固定に対して適用可能である。
【図面の簡単な説明】
【００４４】
【図１】本発明に係るコーナーポスト固定部材とコーナーポストの斜視図である。
【図２】本発明に係るコーナーポスト固定部材の平面図、（ｂ）は同コーナーポスト固定部材の側面図（（ａ）の矢視Ａ方向の図）である。
【図３】本発明に係るコーナーポスト固定部材を用いたコーナーポストの固定要領を示す部分斜視図である。
【図４】本発明に係るコーナーポスト固定部材を用いたコーナーポストの固定要領を示す部分斜視図である。
【図５】本発明に係るコーナーポスト固定部材を用いたコーナーポストの固定要領を示す部分斜視図である。
【図６】本発明に係るコーナーポスト固定部材を用いたコーナーポストの固定要領を示す部分斜視図である。
【図７】壁パネルのコーナーポストへの結合要領を示す部分斜視図である。
【図８】壁パネルのコーナーポストへの結合要領を示す部分斜視図である。
【図９】壁パネルのコーナーポストへの結合要領を示す部分斜視図である。
【図１０】壁パネルのコーナーポストへの結合要領を示す部分斜視図である。
【図１１】壁パネルのコーナーポストへの結合要領を示す部分斜視図である。
【図１２】ユニットバスルームの斜視図である。
【図１３】コーナーポストの固定構造の従来例（その１）を示す部分斜視図である。
【図１４】コーナーポストの固定構造の従来例（その２）を示す部分斜視図である。
【図１５】コーナーポストの固定構造の従来例（その３）を示す部分斜視図である。
【符号の説明】
【００４５】
１          コーナーポスト固定部材
２          ベース部
３          嵌合柱部
４，５      嵌合凹部
６          ビス孔
２０        壁パネル
３０        コーナーポスト
３３，３４  嵌合凸部
４０        防水パネル（フロア部材）
【図１】
2006016835.tif 000003
【図２】
2006016835.tif 000004
【図３】
2006016835.tif 000005
【図４】
2006016835.tif 000006
【図５】
2006016835.tif 000007
【図６】
2006016835.tif 000008
【図７】
2006016835.tif 000009
【図８】
2006016835.tif 000010
【図９】
2006016835.tif 000011
【図１０】
2006016835.tif 000012
【図１１】
2006016835.tif 000013
【図１２】
2006016835.tif 000014
【図１３】
2006016835.tif 000015
【図１４】
2006016835.tif 000016
【図１５】
2006016835.tif 000017